(57)【要約】【課題】  収納や交換が容易な小型デジタルカメラ用の光学系を提供する。【解決手段】  収納ケース21と、レンズホルダ22とを有し、レンズホルダ22は、複数の交換レンズ23,23′を備え、収納ケース21に摺動可能で且つ着脱自在に取り付けられている。又、収納ケース21は、側壁を有し、当該側壁は内面にレンズホルダ22を所定の位置に支持するための支持凹部31を有し、レンズホルダ22は、支持凹部31と係止する支持アーム24を有するレンズカバー。【選択図】      図５
2007140088.tif 000002
【特許請求の範囲】
【請求項１】
レンズを保護する収納ケースと、レンズホルダとを有し、
前記レンズホルダは、交換レンズを備え、前記収納ケースに摺動可能に取り付けられていることを特徴とするレンズカバー。
【請求項２】
前記レンズホルダは、前記収納ケースに着脱自在に取り付けられていることを特徴とする請求項１に記載のレンズカバー。
【請求項３】
前記レンズホルダは、前記収納ケースに収納可能であることを特徴とする請求項１又は請求項２に記載のレンズカバー。
【請求項４】
前記レンズホルダは、前記交換レンズを複数枚備えることを特徴とする請求項１乃至請求項３のいずれかに記載のレンズカバー。
【請求項５】
前記収納ケースは、側壁を有し、当該側壁は内面に前記レンズホルダを所定の位置に支持するための支持凹部を有し、
前記レンズホルダは、前記支持凹部と係合する突起を先端に備えた支持アームを有することを特徴とする請求項１乃至請求項４のいずれかに記載のレンズカバー。
【請求項６】
カメラ筐体内部に光学系を有し、フラッシュと、液晶表示装置と、シャッターボタンと、電源ボタンと、レンズカバーと、レンズカバー支持部とを備え、
前記レンズカバーは、レンズを保護する収納ケースと、この収納ケースに収納可能なレンズホルダとを有し、
前記レンズホルダは、交換レンズを備え、前記収納ケースに摺動可能に取り付けられていることを特徴とするデジタルカメラ。
【請求項７】
前記カメラ筐体は前面板を有し、当該前面板は平行な２本の支持レール溝を有し、
前記レンズカバー支持部は前記レール溝を貫通して前記前面板に取り付けられており、
前記レンズカバーは前記レンズカバー支持部に嵌脱自在に嵌設されていることを特徴とする請求項６に記載のデジタルカメラ。
【請求項８】
前記レンズカバー支持部は、支持板と、レンズカバー固定具と、当該支持板とレンズカバー固定具の摺動を支持する固定板とを備え、前記支持板は前記前面板の裏面に位置し、前記レンズカバー固定具は前記前面板の表面に位置し、前記支持板は前記支持レール溝を介して前記レンズカバー固定具と接続していることを特徴とする請求項６又は請求項７に記載のデジタルカメラ。
【請求項９】
前記レンズカバー支持部は開閉スプリングを備え、
前記固定板は、第一開閉スプリング支柱を有し、
前記支持板は、第二開閉スプリング支柱を有し、
前記開閉スプリングは前記第一開閉スプリング支柱と第二開閉スプリング支柱とを接続し、レンズカバーを開位置及び閉位置に位置させることを特徴とする請求項６乃至請求項８のいずれかに記載のデジタルカメラ。
【請求項１０】
前記レンズカバーは、前記カメラ筐体に着脱自在であることを特徴とする請求項６乃至請求項９のいずれかに記載のデジタルカメラ。
【請求項１１】
前記収納ケースは、側壁を有し、当該側壁は内面に前記レンズホルダを所定の位置に支持するための支持凹部を有し、
前記レンズホルダは、前記支持凹部と係止する支持アームを有することを特徴とする請求項６乃至請求項１０のいずれかに記載のデジタルカメラ。
【発明の詳細な説明】
【技術分野】
【０００１】
本発明は、デジタルカメラのレンズカバー及びレンズカバーを備えるデジタルカメラに関するものである。
【背景技術】
【０００２】
近年デジタルカメラは小型化し、手の平サイズ又はカードサイズにまで縮小している。このような小型のデジタルカメラでは、カメラ本体をできる限り小さくするために、カメラ本体には最低限の機能をつけ、その他の機能は外付けすることで付加することのできる形式とすることが主流になっている。
【０００３】
こういった小型デジタルカメラでは、不使用時にはレンズをボディー内に収納しておき、使用時にレンズをボディーから突出させる沈胴型と、レンズが使用時においてもボディー内に内蔵されているインナーレンズ型等のレンズ構成が採用されている。沈胴型は、カメラ本体の内部に撮像用のレンズ群を収納しており、デジタルカメラのスイッチを入れると、収納されていたレンズ鏡筒が外部に突出することが特徴である。一方、インナーレンズ型は、レンズ群の全長を変化させることなくズームやフォーカスを行い、カメラのスイッチを入れたり、ズーム機能を利用したりしても対物側の第一レンズ群等がカメラ本体から突出することはない形状のものである。現在では、徐々に後者のインナーレンズ型の小型デジタルカメラが主流になりつつある。
【０００４】
しかし、このようなインナー型の小型デジタルカメラでは、交換レンズやフィルタ等のような補助的な光学系を内蔵する場所がカメラ本体の内部には無く、外付けするタイプの物しか無かった。そのため、交換レンズやフィルタ等の補助的な光学系を別途持ち歩く必要があるため、持ち歩いている最中に破損してしまう等の問題点があった。
【０００５】
このような問題点を解決するために、特開２００１−１５７１０３号公報（引用文献１）では、デジタルカメラのレンズカバーに通常モードとナイトモードのフィルタを取り付けており、当該レンズカバーを撮像時の環境に応じて切り替えることができる発明について提案がなされている。この発明によれば、フィルタをレンズカバーが備えているため、フィルタを持ち運ぶ必要がなく大変便利であった。
【特許文献１】特開２００１−１５７１０３号公報
【発明の開示】
【発明が解決しようとする課題】
【０００６】
しかし、このような従来の発明ではフィルタを切り替えることができること以外に拡張性がある物ではなく、レンズカバーとカメラ本体が一体化しているため、他の光学系を取り付けることが困難であり、又、取り付けることができたとしても交換レンズを保護する手段は持ち合わせていなかった。
【０００７】
本発明は、上述したような従来技術の問題点に鑑みてなされたものであり、レンズ等の収納や交換が容易な、小型デジタルカメラ等に用いることができる補助的な光学系を提供することを目的としている。
【課題を解決するための手段】
【０００８】
本発明のレンズカバー(2)は、レンズを保護する収納ケース(21)と、レンズホルダ(22)とを有し、レンズホルダ(22)は、交換レンズ(23,23`)を備え、収納ケース(21)に摺動可能に取り付けられていることを特徴とするものである。
【０００９】
そして、レンズホルダ(22)は、収納ケース(21)に着脱自在に取り付けられており、収納ケース(21)に収納可能であり、又、交換レンズ(23,23`)を複数枚備えている。更に、収納ケース(21)は、側壁を有し、当該側壁は内面にレンズホルダ(22)を所定の位置に支持するための支持凹部(31)を有し、レンズホルダ(22)は、支持凹部(31)と係合する突起を先端に備えた支持アーム(24)を有するものである。
【００１０】
又、本発明のデジタルカメラは、カメラ筐体(1)内部に光学系(3)を有し、フラッシュ(4)と、液晶表示装置(8)と、シャッターボタン(6)と、電源ボタン(7)と、レンズカバー(2)と、レンズカバー支持部(17)とを備えるものである。
【００１１】
そして、カメラ筐体(1)は前面板(11)を有し、当該前面板(11)は平行な２本の支持レール溝(16)を有し、レンズカバー支持部(17)は支持レール溝(16)を貫通して前面板(11)に取り付けられており、レンズカバー(2)はレンズカバー支持部(17)に嵌脱自在に嵌設されているものである。
【００１２】
又、レンズカバー支持部(17)は、支持板(42)と、レンズカバー固定具(43)と、当該支持板(42)とレンズカバー固定具(43)の摺動を支持する固定板(41)とを備え、支持板(42)は前面板(11)の裏面に位置し、レンズカバー固定具(43)は前面板(11)の表面に位置し、支持板(42)は支持レール溝(16)を介してレンズカバー固定具(43)と接続しているものである。
【００１３】
更に、レンズカバー支持部(17)は開閉スプリング(45)を備え、固定板(41)は、第一開閉スプリング支柱(46)を有し、支持板(42)は、第二開閉スプリング支柱(47)を有し、開閉スプリング(45)は第一開閉スプリング支柱(46)と第二開閉スプリング支柱(47)とを接続し、レンズカバー(2)を開位置及び閉位置に位置させるものである。
【発明の効果】
【００１４】
本発明によれば、収納や交換が容易な、小型デジタルカメラ等に用いることができる補助的な光学系を提供することができる。
【発明を実施するための最良の形態】
【００１５】
本発明を実施するための最良の形態のデジタルカメラについて述べる。カメラ筐体1の内部にレンズユニットを有するインナーレンズ形のデジタルカメラであって、カメラ筐体1の正面には、レンズカバー2、レンズ部3、フラッシュ4、オートフォーカス用の光源5が設けられている。又、上面には、シャッターボタン6、電源ボタン7が配設されている。一方、デジタルカメラの裏面には、表示部8、メニューボタン9等が適宜配設されている。
【００１６】
そして、レンズカバー2は、収納ケース21と、レンズホルダ22とを有し、レンズホルダ22は、複数の交換レンズ23,23′を備え、収納ケース2に摺動可能にして、且つ着脱自在に取り付けられている。又、収納ケース2は、側壁を有し、当該側壁は内面にレンズホルダ22を所定の位置に支持するための支持凹部31を有し、レンズホルダ22は、支持凹部31と係止する支持アーム24を有する。
【００１７】
又、カメラの正面板11にレンズカバー支持部17を有し、レンズカバー支持部17は、支持板42と、レンズカバー固定具43とを備え、支持板42は前面板11の裏面に位置し、レンズカバー固定具43は前面板11の表面に位置し、支持板43はカメラ筐体1に成形された支持レール溝16を介してレンズカバー固定具43と接続している。そして、レンズカバー2はレンズカバー支持部17に嵌脱自在に嵌設されている。
【００１８】
本実施の形態のデジタルカメラによれば、交換レンズ22を持ち歩かずに広角レンズや望遠レンズに切り替えることが可能となる。又、レンズカバー2が着脱可能なため、レンズカバー2を交換することで種々の交換レンズ23,23′を使用することができ、薄型のデジタルカメラの機能拡張を実現できる。更に、レンズホルダ22は収納ケース21に収納可能なので、交換レンズ23,23′を保護することができる。
【実施例】
【００１９】
以下、本発明の実施例を図に基づいて詳説する。本実施例のカメラは、カメラ筐体1の内部にレンズユニットを有するインナーレンズ型のデジタルカメラである。カメラ筐体1は、薄肉方形体であり、正面には、図１に示すように、レンズカバー2、レンズ部3、フラッシュ4、オートフォーカス用の光源5が配設されている。又、上面には、シャッターボタン6、電源ボタン7が配設されている。一方、デジタルカメラの裏面には、図２に示すように、液晶表示板などを用いた表示部8、メニューボタン等9が適宜配設されている。
【００２０】
そして、カメラ筐体1の正面板11には、図３に示すように、レンズ部3、フラッシュ4、光源5等を配設するための切抜きが成型されており、又、レンズカバー2を支持するための支持レール溝16がレンズ部3の近傍から水平に２本成型されている。更に、支持レール溝16には、レンズカバー2を固定するためのレンズカバー支持部17が取り付けられている。
【００２１】
レンズカバー2は、図４〜図６に示すように収納ケース21とレンズホルダ22から構成されており、レンズカバー支持部17に嵌合している。収納ケース21は、略長方形状の表面板と、上壁と、下壁と、左側壁とが一体成型されており、開口している右側面側からレンズホルダ22を挿入できるようになっている。又、収納ケース21の表面板には略半月状の開閉窪み26が成型されており、レンズカバー2を開閉する時に指先をこの開閉窪み２６に掛けて容易に開閉できるようにしている。
【００２２】
収納ケース21の上壁と下壁の内面には、後述するレンズホルダ22の支持アーム24を係止するための支持凹部31が、夫々３つずつ成形されている。支持凹部31の成形場所は、左側壁近傍と、中央近傍と、右面の開口部近傍であり、上壁と下壁で夫々対称の位置に成形されている。又、隣り合う夫々の支持凹部31の間の距離は同一である。更に、上壁と下壁の底部には、後述するレンズカバー固定具42と嵌設する固定溝32が成型されており、この固定溝32は中央近傍に上壁と下壁で夫々対称の位置に成形されている。
【００２３】
レンズホルダ22は、長方形状の薄板であり、右端部には収納ケース21の右側面に係止する係止板を備え、左端部には収納ケース21の支持凹部31と係合する突起を有する２つの支持アーム24を備える。この支持アーム24は、レンズホルダ22の左端部の上下から棒状に延設したものであり、又、支持アーム24は弾力性を有しており湾曲可能なものである。そして、支持アーム24の先端には支持凹部31と係合する円形の突起が成形されている。更に、レンズホルダ22の長方形状の薄板には、右から順番に第一交換レンズ23と第二交換レンズ23’が水平位置に設置されている。第一、第二交換レンズ23、23’の中心間の距離は、上述した収納ケース21の隣り合う支持凹部31の間の距離と同一である。
【００２４】
このレンズホルダ22は、収納ケース21の右側の開口部から挿入することができ、収納ケース21内を左右に摺動可能としている。又、支持凹部31が支持アーム24の突起を係止するので、レンズホルダ22は収納ケース2の一番奥から数えて３段階の形状を取ることができ、一番奥の支持凹部31に係止しているときは、レンズホルダ22が収納ケース21に収納されており、２番目の支持凹部31に係止しているときは、第一交換レンズ23がレンズ部3の光軸上に位置し、３番目の支持凹部31に係止しているときは、第二交換レンズ23’がレンズ部3の光軸上に位置することとなる。又、更に引き出すとレンズホルダ22は収納ケース21から外れる。
【００２５】
レンズカバー支持部17は、図７〜図９に示すように、固定板41と、支持板42と、レンズカバー固定具43と、開閉スプリング45とを備える。固定板41は、長方形の薄板であり、長辺に縁を有する。又、レンズ部3が位置する場所に小孔が成形されており、正面板11が有する支持レール溝16と対応する位置にレール溝が成形されている。更に、開閉スプリング45を取り付ける第一開閉スプリング支柱46を有する。固定板41は、カメラ筐体1の正面板11の裏面に小孔やレール溝が対応する場所に位置するように固定されており、支持板42の横方向に摺動可能として支持すると共に正面板11を補強している。
【００２６】
支持板42は、薄板であり、支持レール溝16の２本間の距離と同距離の間隔で穴が２個成型されている。又、支持板42には、第二開閉スプリング支柱47が２個の穴の間に成型されている。この支持板42は、図９に示すように、カメラ筐体1の正面板11の裏面に位置し、支持板42に成形されている２個の穴から螺子を通して、固定板41と正面板11の支持レール溝16を介して正面板11の表面でレンズカバー固定具42と接続している。又、支持レール溝16を貫通している部分にはスペーサーリングを備えることで支持レール溝16を摺動しやすいようにしている。又、支持板42は固定板41の有する縁に支持されており、左右に摺動可能である。
【００２７】
レンズカバー固定具43は、収納ケース21の有する固定溝32を嵌挿するためのものであり、カメラ筐体1の表面板11とレンズカバー2を密着させるためのものである。レンズカバー固定具42の形状は、固定溝32の形状と併せて任意の形状を取ることができ、薄板や円柱形状等様々な形状をとることができる。
【００２８】
開閉スプリング45はねじりバネであり、固定板41に成型された第一開閉スプリング支柱46と、支持板42に成形された第二開閉スプリング支柱45とを接続しており、支持板42が支持レール溝16の最左端と最右端で止まるように係止している。これにより、レンズカバー支持部17に嵌挿されたレンズカバー2が、開いた状態と閉じた状態で固定することができる。
【００２９】
レンズカバー支持部17にレンズカバー2を取り付けた場合、図１０、図１１に示すように、収納ケース21、レンズホルダ22、前面板11、固定板41、支持板42の順番で固定されることになり、固定具43が固定溝32に嵌合してレンズカバー2を保持する。
【００３０】
レンズカバー2が開いているときにレンズホルダ22を引き出すと、交換レンズ23、23’がレンズ部3の光軸上にセットされようになっており、１段階引き出すと交換レンズ23がレンズ部3の光軸上にセットされ、２段階引き出すと交換レンズ23'がレンズ部3の光軸上にセットされるようになっている。
【００３１】
次に、本実施例のデジタルカメラの作用、効果について述べる。通常時は、図１０に示すように、レンズカバー2はレンズ部3を保護するため閉じた状態である。そして、図１２に示すように、使用時に当該レンズカバー2を左に動かすと、開閉スプリング45が反転してレンズカバー2が開いた状態で固定される。この時、レンズホルダ22は収納ケース21の内部に収納された状態であり、レンズ部3の前方には何もないため、通常の撮影となる。
【００３２】
そして、レンズホルダ22を収納ケース21から引き出すと、図１３に示すように、所定の位置で収納ケース3の支持凹部31とレンズホルダ22の支持アーム24が係止し、レンズ部3の光軸上に第一交換レンズ23がセットされる。更にレンズホルダ22を引き出すと、第二交換レンズ23′がレンズ部3の光軸上に停止する。これにより、交換レンズを利用した撮影ができる。
【００３３】
そして、図１４に示すように、レンズカバー2はカメラ筐体1から簡単に取り外すことができるため、交換用のレンズカバーを持っていればそのレンズカバーに交換することができ、当該レンズカバー内に収納されている他の種類の交換レンズに交換できる。又、レンズカバー2を外さなくてもレンズホルダ22を収納ケース21から取り外して、異なるレンズホルダ22を挿入することもできる。
【００３４】
尚、本実施例では交換レンズを２つの場合を述べたが、当然数を増やすことも減らすことも可能である。又、レンズカバー2が横に摺動する場合を述べたが、当然縦に摺動させることも可能である。又、レンズカバー2をレンズカバー支持部17に嵌挿して取り付けたが、カメラ筐体1の正面板11にレンズカバー2用のレール溝をもうけ、当該レール溝に直接レンズカバー2を取り付けることも可能である。
【００３５】
本実施例によれば、交換レンズ22を持ち歩かずに広角レンズや望遠レンズに切り替えることが可能となる。又、レンズカバー2が着脱可能なため、レンズカバー2を交換することで種々の交換レンズを使用することができ、薄型のデジタルカメラの機能拡張を実現できる。更に、レンズホルダ22は収納ケース21に収納可能なので、交換レンズを保護することができる。
又、本発明は、以上の実施例の形態に限定されるものでなく、発明の要旨を逸脱しない範囲で自由に変更、改良が可能である。
【図面の簡単な説明】
【００３６】
【図１】本発明のデジタルカメラの正面側からの斜視図。
【図２】本発明のデジタルカメラの背面側からの斜視図。
【図３】本発明のデジタルカメラの正面板の正面図。
【図４】本発明のレンズカバーの正面図。
【図５】本発明のレンズカバーの収納ケースにレンズホルダが完全に収納された状態の背面図。
【図６】本発明のレンズカバーの収納ケースからレンズホルダが一段階引き出された状態の背面図。
【図７】本発明のデジタルカメラの正面板のレンズカバーが閉じている状態の背面図。
【図８】本発明のデジタルカメラの正面板のレンズカバーが開いている状態の背面図。
【図９】本発明のレンズカバーとレンズカバー支持部の構造を示す分解斜視図。
【図１０】本発明のデジタルカメラのレンズカバーが閉じている状態の正面図。
【図１１】本発明の図１０のＡ−Ａ′断面での断面図。
【図１２】本発明のデジタルカメラのレンズカバーが開いている状態の正面図。
【図１３】本発明のデジタルカメラのレンズホルダが一段階引き出された状態の正面図。
【図１４】本発明のデジタルカメラのレンズカバーの取り外し説明図。
【符号の説明】
【００３７】
1  カメラ筐体                              2  レンズカバー
3  レンズ部                                4  フラッシュ
5  光源                                    6  シャッターボタン
7  電源ボタン                              8  表示部
9  メニューボタン                          10  レバースイッチ
11  前面板                                 16  支持レール溝
17  レンズカバー支持部                     21  収納ケース
22  レンズホルダ                           23  第一交換レンズ
23`  第二交換レンズ                        24  支持アーム
26  開閉窪み                               31  支持凹部
32  固定溝                                 41  固定板
42  支持板                                 43  レンズカバー固定具
45  開閉スプリング                         46  第一開閉スプリング支柱
47  第二開閉スプリング支柱
【図１】
2007140088.tif 000003
【図２】
2007140088.tif 000004
【図３】
2007140088.tif 000005
【図４】
2007140088.tif 000006
【図５】
2007140088.tif 000007
【図６】
2007140088.tif 000008
【図７】
2007140088.tif 000009
【図８】
2007140088.tif 000010
【図９】
2007140088.tif 000011
【図１０】
2007140088.tif 000012
【図１１】
2007140088.tif 000013
【図１２】
2007140088.tif 000014
【図１３】
2007140088.tif 000015
【図１４】
2007140088.tif 000016